(57)【要約】  本発明は、周波数の構成方法、ネットワーク機器、端末機器およびコンピュータ記憶媒体を開示し、ここで、当該方法は、構成情報にターゲット周波数情報を追加する場合、前記ターゲット周波数に対応するセグメント番号、および前記ターゲット周波数が位置するセグメント内に対応する無線周波数チャネル番号（ＲＦＣＮ）を採用して前記ターゲット周波数情報を表すことを含む。
2021515997.tif 000002
【特許請求の範囲】
【請求項１】
ネットワーク機器に適用される周波数の構成方法であって、
構成情報にターゲット周波数情報を追加する場合、前記ターゲット周波数に対応するセグメント番号、および前記ターゲット周波数が位置するセグメント内に対応する無線周波数チャネル番号（ＲＦＣＮ）を採用して前記ターゲット周波数情報を表すことを含む、前記周波数の構成方法。
【請求項２】
前記方法は、
少なくとも２つのセグメント情報を構成することであって、前記少なくとも２つのセグメント情報は、すべての周波数スペクトルを分割して得られたセグメント情報であり、異なるセグメント情報間には重複する周波数帯域が存在しないことをさらに含む、
請求項１に記載の周波数の構成方法。
【請求項３】
前記方法は、
プロトコルに基づいて少なくとも２つのセグメント情報を決定することをさらに含む、
請求項２に記載の周波数の構成方法。
【請求項４】
前記方法は、
システムブロードキャスト情報を介して、少なくとも２つのセグメント情報の構成を端末機器に送信することをさらに含む、
請求項２に記載の周波数の構成方法。
【請求項５】
前記少なくとも２つのセグメント情報を構成し、前記方法は、
各セグメント情報に対して対応するセグメント番号を設定し、各セグメント情報に含まれるすべての周波数に対して、ＲＦＣＮを採用して番号を付けることをさらに含む、
請求項２に記載の周波数の構成方法。
【請求項６】
端末機器に適用される周波数の構成方法であって、
ネットワークによって送信された構成情報を受信することと、
ターゲット周波数情報を前記構成情報から取得することであって、前記ターゲット周波数情報は、前記ターゲット周波数に対応するセグメント番号、および前記ターゲット周波数が位置するセグメント内に対応する無線周波数チャネル番号（ＲＦＣＮ）を含むこととを含む、前記周波数の構成方法。
【請求項７】
前記方法は、
プロトコルに基づいて少なくとも２つのセグメント情報を決定すること、
または、
システムブロードキャスト情報を介して、ネットワーク側で構成した少なくとも２つのセグメント情報を取得することをさらに含む、
請求項６に記載の周波数の構成方法。
【請求項８】
前記少なくとも２つのセグメント情報は、各セグメント情報の周波数スペクトル範囲およびそれらに対応するセグメント番号を含み、各セグメント情報に含まれる各周波数に対応するＲＦＣＮを含む、
請求項７に記載の周波数の構成方法。
【請求項９】
ネットワーク機器であって、
構成情報にターゲット周波数情報を追加する場合、前記ターゲット周波数に対応するセグメント番号、および前記ターゲット周波数が位置するセグメント内に対応する無線周波数チャネル番号（ＲＦＣＮ）を採用して前記ターゲット周波数情報を表すように構成される第１処理ユニットを含む、前記ネットワーク機器。
【請求項１０】
前記第１処理ユニットは、少なくとも２つのセグメント情報を構成するように構成され、前記少なくとも２つのセグメント情報は、すべての周波数スペクトルを分割して得られたセグメント情報であり、異なるセグメント情報間には重複する周波数帯域が存在しない、
請求項９に記載のネットワーク機器。
【請求項１１】
前記第１処理ユニットは、プロトコルに基づいて少なくとも２つのセグメント情報を決定するように構成される、
請求項１０に記載のネットワーク機器。
【請求項１２】
前記ネットワーク機器は、
システムブロードキャスト情報を介して、少なくとも２つのセグメント情報の構成を端末機器に送信するように構成される第１通信ユニットをさらに含む、
請求項１０に記載のネットワーク機器。
【請求項１３】
前記第１処理ユニットは、各セグメント情報に対して対応するセグメント番号を設定し、各セグメント情報に含まれるすべての周波数に対して、ＲＦＣＮを採用して番号を付けるように構成される、
請求項１０に記載のネットワーク機器。
【請求項１４】
端末機器であって、
ネットワークによって送信された構成情報を受信するように構成される第２通信ユニットと、
ターゲット周波数情報を前記構成情報から取得するように構成される第２処理ユニットであって、前記ターゲット周波数情報は、ターゲット周波数に対応するセグメント番号、および前記ターゲット周波数が位置するセグメント内に対応する無線周波数チャネル番号（ＲＦＣＮ）を含む第２処理ユニットとを含む、前記端末機器。
【請求項１５】
前記第２処理ユニットは、プロトコルに基づいて少なくとも２つのセグメント情報を決定するように構成され、
または、
前記第２通信ユニットは、システムブロードキャスト情報を介して、ネットワーク側で構成した少なくとも２つのセグメント情報を取得するように構成される、
請求項１４に記載の端末機器。
【請求項１６】
前記少なくとも２つのセグメント情報は、各セグメント情報の周波数スペクトル範囲およびそれらに対応するセグメント番号を含み、各セグメント情報に含まれる各周波数に対応するＲＦＣＮを含む、
請求項１５に記載の端末機器。
【請求項１７】
ネットワーク機器であって、
プロセッサと、プロセッサで実行可能なコンピュータプログラムが記憶されたメモリとを含み、
前記プロセッサは、前記コンピュータプログラムを実行すると、請求項１ないし５のいずれか一項に記載の方法のステップを実行するように構成される、前記ネットワーク機器。
【請求項１８】
端末機器であって、
プロセッサと、プロセッサで実行可能なコンピュータプログラムが記憶されたメモリとを含み、
前記プロセッサは、前記コンピュータプログラムを実行すると、請求項６ないし８のいずれか一項に記載の方法のステップを実行するように構成される、前記端末機器。
【請求項１９】
コンピュータ記憶媒体であって、
コンピュータ実行可能な命令が記憶され、前記コンピュータ実行可能な命令が実行されると、請求項１ないし８のいずれか一項に記載の方法のステップを実現する、前記コンピュータ記憶媒体。
【発明の詳細な説明】
【技術分野】
【０００１】
本発明は、情報処理の技術分野に関し、特に、周波数の構成方法、ネットワーク機器、端末機器およびコンピュータ記憶媒体に関する。
【背景技術】
【０００２】
ＬＴＥにおいて、自己組織化ネットワーク（ＳＯＮ：Ｓｅｌｆ−Ｏｒｇａｎｉｚｅｄ  Ｎｅｔｗｏｒｋｓ）には自動隣接関係（ＡＮＲ：Ａｕｔｏｍａｔｉｃ  Ｎｅｉｇｈｂｏｕｒ  Ｒｅｌａｔｉｏｎ）機能がある。ＵＥの測定報告を通じて、欠落した隣接関係を見つけることができるため、隣接セルリストの整合性と有効性を維持し、異常な隣接セルのハンドオーバを削減し、それにより、ネットワークパフォーマンスを向上させ、手動操作を回避し、ネットワークの運用コストを削減することができる。ＬＴＥ  ＡＮＲ隣接セルリストにはｉｎｔｒａ−ＬＴＥのセルの隣接関係およびｉｎｔｅｒ−ＲＡＴの隣接関係が含まれる。ＮＲネットワークの配備に伴い、ＮＲセルもＬＴＥ  ｉｎｔｅｒ−ＲＡＴの隣接関係で維持される必要がある。
【０００３】
しかし、ＮＲセルの周波数範囲は、６ＧＨｚ以下および６ＧＨｚ以上の周波数スペクトル範囲など、広い周波数範囲を有する。ＮＲの広い周波数スペクトル範囲に対して、現在のＬＴＥの方式を採用して周波数情報を表す場合、即ち、絶対無線周波数チャネル番号（ＡＲＦＣＮ：Ａｂｓｏｌｕｔｅ  Ｒａｄｉｏ  Ｆｒｅｑｕｅｎｃｙ  Ｃｈａｎｎｅｌ  Ｎｕｍｂｅｒ）を採用して周波数を表す場合、伝送された構成情報に対応する値は非常に高くなる。
【発明の概要】
【発明が解決しようとする課題】
【０００４】
上記した技術的課題を解決するために、本発明の実施例は、周波数の構成方法、ネットワーク機器、端末機器およびコンピュータ記憶媒体を提供する。
【課題を解決するための手段】
【０００５】
本発明の実施例は、ネットワーク機器に適用される周波数の構成方法を提供し、前記方法は、
構成情報にターゲット周波数情報を追加する場合、前記ターゲット周波数に対応するセグメント番号、および前記ターゲット周波数が位置するセグメント内に対応する無線周波数チャネル番号（ＲＦＣＮ）を採用して前記ターゲット周波数情報を表すことを含む。
【０００６】
本発明の実施例は、端末機器に適用される周波数の構成方法を提供し、前記方法は、
ネットワークによって送信された構成情報を受信することと、
ターゲット周波数情報を前記構成情報から取得することであって、前記ターゲット周波数情報は、前記ターゲット周波数に対応するセグメント番号、および前記ターゲット周波数が位置するセグメント内に対応する無線周波数チャネル番号（ＲＦＣＮ）を含むこととを含む。
【０００７】
本発明の実施例はネットワーク機器を提供し、前記ネットワーク機器は、
構成情報にターゲット周波数情報を追加する場合、前記ターゲット周波数に対応するセグメント番号、および前記ターゲット周波数が位置するセグメント内に対応する無線周波数チャネル番号（ＲＦＣＮ）を採用して前記ターゲット周波数情報を表すように構成される第１処理ユニットを含む。
【０００８】
本発明の実施例は端末機器を提供し、前記端末機器は、
ネットワークによって送信された構成情報を受信するように構成される第２通信ユニットと、
ターゲット周波数情報を前記構成情報から取得するように構成される第２処理ユニットであって、前記ターゲット周波数情報は、ターゲット周波数に対応するセグメント番号、および前記ターゲット周波数が位置するセグメント内に対応する無線周波数チャネル番号（ＲＦＣＮ）を含む第２処理ユニットとを含む。
【０００９】
本発明の実施例で提供されるネットワーク機器は、プロセッサと、プロセッサで実行可能なコンピュータプログラムが記憶されたメモリとを含み、
ここで、前記プロセッサは、前記コンピュータプログラムを実行すると、上記した方法のステップを実行するように構成される。
【００１０】
本発明の実施例で提供される端末機器は、プロセッサと、プロセッサで実行可能なコンピュータプログラムが記憶されたメモリとを含み、
ここで、前記プロセッサは、前記コンピュータプログラムを実行すると、上記した方法のステップを実行するように構成される。
【００１１】
本発明の実施例で提供されるコンピュータ記憶媒体には、コンピュータ実行可能な命令が記憶され、前記コンピュータ実行可能な命令が実行されると、上記した方法のステップを実現する。
【発明の効果】
【００１２】
本発明の実施例の技術的解決策によれば、ターゲット周波数に対応するセグメント番号、および前記ターゲット周波数が位置するセグメント内に対応する無線周波数チャネル番号（ＲＦＣＮ）を採用してターゲット周波数情報を表すことができ、このようにして、ターゲット周波数情報が含まれた構成情報を伝送するときに、周波数情報を表す伝送ビット数または伝送スペースを削減することができ、それによりシグナリング負荷を低下させる目的を達成する。
【図面の簡単な説明】
【００１３】
【図１】本発明の実施例で提供される周波数の構成方法の第１の例示的なフローチャートである。
【図２】本発明の実施例で提供される周波数の構成方法の第２の例示的なフローチャートである。
【図３】本発明の実施例のネットワーク機器の構成の例示的な構造図である。
【図４】本発明の実施例の端末機器の構成の例示的な構造図である。
【図５】本発明の実施例のハードウェアアーキテクチャの概略図である。
【発明を実施するための形態】
【００１４】
本発明の実施例の特徴および技術内容をより詳細に理解するために、以下、図面を参照して本発明の実施例の具現を詳細に説明し、添付の図面は、参照のみを目的として、本発明の実施例を限定することを意図するものではない。
【００１５】
実施例１
本発明の実施例は、ネットワーク機器に適用される周波数の構成方法を提供し、前記方法は、
構成情報にターゲット周波数情報を追加する場合、前記ターゲット周波数に対応するセグメント番号、および前記ターゲット周波数が位置するセグメント内に対応する無線周波数チャネル番号（ＲＦＣＮ：Ｒａｄｉｏ  Ｆｒｅｑｕｅｎｃｙ  Ｃｈａｎｎｅｌ  Ｎｕｍｂｅｒ）を採用して前記ターゲット周波数情報を表すことを含む。
【００１６】
具体的に、図１を参照して本実施例で提供される技術案を説明する。
【００１７】
ステップ１０１において、少なくとも２つのセグメント情報を構成し、前記少なくとも２つのセグメント情報は、すべての周波数スペクトルを分割して得られたセグメント情報であり、異なるセグメント情報間には重複する周波数帯域が存在しない。
【００１８】
ステップ１０２において、構成情報にターゲット周波数情報を追加する場合、前記ターゲット周波数に対応するセグメント番号、および前記ターゲット周波数が位置するセグメント内に対応する無線周波数チャネル番号（ＲＦＣＮ）を採用して前記ターゲット周波数情報を表す。
【００１９】
即ち、本発明で提供される実施例を採用して、すべてのＮＲの周波数スペクトル範囲内のＲＦＣＮのセグメントに番号を付け、即ち、セグメント番号を先に指示し、その後、周波数スペクトルセグメント内のＲＦＣＮを指示する。
【００２０】
ここで、少なくとも２つのセグメント情報を構成する方式は、プロトコルに基づいて決定されてもよく、もちろん、上位層を介して構成されてもよいが、ここでは繰り返さない。対応的に、前記少なくとも２つのセグメント情報は、システムブロードキャスト情報を介して端末機器に送信されて、端末機器およびネットワーク側が同じ構成に基づいて周波数の構成の取得を実行するようにする。
【００２１】
前記少なくとも２つのセグメント情報を構成し、前記方法は、
各セグメント情報に対して対応するセグメント番号を設定し、各セグメント情報に含まれるすべての周波数に対して、ＲＦＣＮを採用して番号を付けることをさらに含む。
【００２２】
具体的には、セグメント情報は、以下のいくつかの形式を取ることができる。
【００２３】
形式１
６ＧＨｚ以上の周波数スペクトルと６ＧＨｚ以下の周波数スペクトルに応じて、２つのセグメントに分割し、セグメント番号はそれぞれ０と１である。
【００２４】
その後、６ＧＨＺ以下のセグメントに番号を付けて、当該周波数帯域における、周波数に対応する少なくとも１つのＲＦＣＮを取得し、６ＧＨＺ以上のセグメントにまた番号を付けて、当該周波数帯域に対応するＲＦＣＮを取得する。
【００２５】
形式２
例えば、１．８Ｇ〜２．６Ｇが１つのグループであり、３．５〜６Ｇ以下が１つのグループであり、６Ｇ〜２０Ｇ間が１つのグループであり、２０Ｇ〜３０Ｇが１つのグループであり、ミリ波が１つのグループであるなど、周波数帯域（ｂａｎｄ）に応じてグループを分け、その後、各グループ内の周波数スペクトル範囲内の少なくとも１つの周波数にＲＦＣＮで番号を付ける。
【００２６】
即ち、本実施例で提供される技術案は、構成情報で１つの周波数を表す必要がある場合、セグメント番号＋セグメント番号に対応する周波数スペクトル範囲内のＲＦＣＮを使用することによって表すことができる。
【００２７】
上記した技術案を採用することにより、ターゲット周波数に対応するセグメント番号、および前記ターゲット周波数が位置するセグメント内に対応する無線周波数チャネル番号（ＲＦＣＮ）を採用してターゲット周波数情報を表し、このようにして、ターゲット周波数情報が含まれた構成情報を伝送するときに、周波数情報を表す伝送ビット数または伝送スペースを削減することができ、それによりシグナリング負荷を低下させる目的を達成することが分かる。
【００２８】
実施例２
本発明の実施例は、端末機器に適用される周波数の構成方法を提供し、図２に示されたように、前記方法は、次のステップを含む。
【００２９】
ステップ２０１において、ネットワークによって送信された構成情報を受信する。
【００３０】
ステップ２０２において、ターゲット周波数情報を前記構成情報から取得し、前記ターゲット周波数情報は、ターゲット周波数に対応するセグメント番号、および前記ターゲット周波数が位置するセグメント内に対応する無線周波数チャネル番号（ＲＦＣＮ）を含む。
【００３１】
即ち、本発明で提供される実施例を採用して、すべてのＮＲの周波数スペクトル範囲内のＲＦＣＮのセグメントに番号を付け、即ち、セグメント番号を先に指示し、その後、周波数スペクトルセグメント内のＲＦＣＮを指示する。
【００３２】
前記方法は、
プロトコルに基づいて少なくとも２つのセグメント情報を決定すること、または、システムブロードキャスト情報を介して、ネットワーク側で構成した少なくとも２つのセグメント情報を取得することをさらに含む。
【００３３】
前記少なくとも２つのセグメント情報は、システムブロードキャスト情報を介して端末機器に送信されて、端末機器およびネットワーク側が同じ構成に基づいて周波数の構成の取得を実行するようにする。
【００３４】
前記少なくとも２つのセグメント情報は、各セグメント情報の周波数スペクトル範囲およびそれらに対応するセグメント番号を含み、各セグメント情報に含まれる各周波数に対応するＲＦＣＮを含む。
【００３５】
具体的には、セグメント情報は、以下のいくつかの形式を取ることができる。
【００３６】
形式１
６ＧＨｚ以上の周波数スペクトルと６ＧＨｚ以下の周波数スペクトルに応じて、２つのセグメントに分割し、セグメント番号はそれぞれ０と１である。
【００３７】
その後、６ＧＨＺ以下のセグメントに番号を付けて、当該周波数帯域における、周波数に対応する少なくとも１つのＲＦＣＮを取得し、６ＧＨＺ以上のセグメントにまた番号を付けて、当該周波数帯域に対応するＲＦＣＮを取得する。
【００３８】
形式２
例えば、１．８Ｇ〜２．６Ｇが１つのグループであり、３．５〜６Ｇ以下が１つのグループであり、６Ｇ〜２０Ｇ間が１つのグループであり、２０Ｇ〜３０Ｇが１つのグループであり、ミリ波が１つのグループであるなど、周波数帯域（ｂａｎｄ）に応じてグループを分け、その後、各グループ内の周波数スペクトル範囲内の少なくとも１つの周波数にＲＦＣＮで番号を付ける。
【００３９】
即ち、本実施例で提供される技術案は、構成情報で１つの周波数を表す必要がある場合、セグメント番号＋セグメント番号に対応する周波数スペクトル範囲内のＲＦＣＮを使用することによって表すことができる。
【００４０】
上記した技術案を採用することにより、ターゲット周波数に対応するセグメント番号、および前記ターゲット周波数が位置するセグメント内に対応する無線周波数チャネル番号（ＲＦＣＮ）を採用してターゲット周波数情報を表し、このようにして、ターゲット周波数情報が含まれた構成情報を伝送するときに、周波数情報を表す伝送ビット数または伝送スペースを削減することができ、それによりシグナリング負荷を低下させる目的を達成することが分かる。
【００４１】
実施例３
本発明の実施例はネットワーク機器を提供し、図３に示されたように、前記ネットワーク機器は、
構成情報にターゲット周波数情報を追加する場合、前記ターゲット周波数に対応するセグメント番号、および前記ターゲット周波数が位置するセグメント内に対応する無線周波数チャネル番号（ＲＦＣＮ）を採用して前記ターゲット周波数情報を表すように構成される第１処理ユニット３１を含む。
【００４２】
第１処理ユニット３１は、少なくとも２つのセグメント情報を構成するように構成され、ここで、前記少なくとも２つのセグメント情報は、すべての周波数スペクトルを分割して得られたセグメント情報であり、異なるセグメント情報間には重複する周波数帯域が存在しない。
【００４３】
即ち、本発明で提供される実施例を採用して、すべてのＮＲの周波数スペクトル範囲内のＲＦＣＮのセグメントに番号を付け、即ち、セグメント番号を先に指示し、その後、周波数スペクトルセグメント内のＲＦＣＮを指示する。
【００４４】
ここで、少なくとも２つのセグメント情報を構成する方式は、プロトコルに基づいて決定されてもよく、もちろん、上位層を介して構成されてもよいが、ここでは繰り返さない。対応的に、前記ネットワーク機器は、
システムブロードキャスト情報を介して、少なくとも２つのセグメント情報の構成を端末機器に送信して、端末機器およびネットワーク側が同じ構成に基づいて周波数の構成の取得を実行するようにするように構成される第１通信ユニット３２をさらに含む。
【００４５】
前記少なくとも２つのセグメント情報を構成し、前記第１処理ユニット３１は、各セグメント情報に対して対応するセグメント番号を設定し、各セグメント情報に含まれるすべての周波数に対して、ＲＦＣＮを採用して番号を付けるように構成される。
【００４６】
具体的には、セグメント情報は、以下のいくつかの形式を取ることができる。
【００４７】
形式１
６ＧＨｚ以上のスペクトルと６ＧＨｚ以下の周波数スペクトルに応じて、２つのセグメントに分割し、セグメント番号はそれぞれ０と１である。
【００４８】
その後、６ＧＨＺ以下のセグメントに番号を付けて、当該周波数帯域における、周波数に対応する少なくとも１つのＲＦＣＮを取得し、６ＧＨＺ以上のセグメントにまた番号を付けて、当該周波数帯域に対応するＲＦＣＮを取得する。
【００４９】
形式２
例えば、１．８Ｇ〜２．６Ｇが１つのグループであり、３．５〜６Ｇ以下が１つのグループであり、６Ｇ〜２０Ｇ間が１つのグループであり、２０Ｇ〜３０Ｇが１つのグループであり、ミリ波が１つのグループであるなど、周波数帯域（ｂａｎｄ）に応じてグループを分け、その後、各グループ内の周波数スペクトル範囲内の少なくとも１つの周波数にＲＦＣＮで番号を付ける。
【００５０】
即ち、本実施例で提供される技術案は、構成情報で１つの周波数を表す必要がある場合、セグメント番号＋セグメント番号に対応する周波数スペクトル範囲内のＲＦＣＮを使用することによって表すことができる。
【００５１】
上記した技術案を採用することにより、ターゲット周波数に対応するセグメント番号、および前記ターゲット周波数が位置するセグメント内に対応する無線周波数チャネル番号（ＲＦＣＮ）を採用してターゲット周波数情報を表し、このようにして、ターゲット周波数情報が含まれた構成情報を伝送するときに、周波数情報を表す伝送ビット数または伝送スペースを削減することができ、それによりシグナリング負荷を低下させる目的を達成することが分かる。
【００５２】
実施例４
本発明の実施例は端末機器を提供し、図４に示されたように、前記端末は、
ネットワークによって送信された構成情報を受信するように構成される第２通信ユニット４１と、
ターゲット周波数情報を前記構成情報から取得するように構成される第２処理ユニット４２であって、前記ターゲット周波数情報は、ターゲット周波数に対応するセグメント番号、および前記ターゲット周波数が位置するセグメント内に対応する無線周波数チャネル番号（ＲＦＣＮ）を含む第２処理ユニット４２とを含む。
【００５３】
即ち、本発明で提供される実施例を採用して、すべてのＮＲの周波数スペクトル範囲内のＲＦＣＮのセグメントに番号を付け、即ち、セグメント番号を先に指示し、その後、周波数スペクトルセグメント内のＲＦＣＮを指示する。
【００５４】
第２処理ユニット４２は、プロトコルに基づいて少なくとも２つのセグメント情報を決定するように構成され、または、第２通信ユニット４１は、システムブロードキャスト情報を介して、ネットワーク側で構成した少なくとも２つのセグメント情報を取得するように構成される。
【００５５】
前記少なくとも２つのセグメント情報は、システムブロードキャスト情報を介して端末機器に送信されて、端末機器およびネットワーク側が同じ構成に基づいて周波数の構成の取得を実行するようにする。
【００５６】
前記少なくとも２つのセグメント情報は、各セグメント情報の周波数スペクトル範囲およびそれらに対応するセグメント番号を含み、各セグメント情報に含まれる各周波数に対応するＲＦＣＮを含む。
【００５７】
具体的には、セグメント情報は、以下のいくつかの形式を取ることができる。
【００５８】
形式１
６ＧＨｚ以上の周波数スペクトルと６ＧＨｚ以下の周波数スペクトルに応じて、２つのセグメントに分割し、セグメント番号はそれぞれ０と１である。
【００５９】
その後、６ＧＨＺ以下のセグメントに番号を付けて、当該周波数帯域における、周波数に対応する少なくとも１つのＲＦＣＮを取得し、６ＧＨＺ以上のセグメントにまた番号を付けて、当該周波数帯域に対応するＲＦＣＮを取得する。
【００６０】
形式２
例えば、１．８Ｇ〜２．６Ｇが１つのグループであり、３．５〜６Ｇ以下が１つのグループであり、６Ｇ〜２０Ｇ間が１つのグループであり、２０Ｇ〜３０Ｇが１つのグループであり、ミリ波が１つのグループであるなど、周波数帯域（ｂａｎｄ）に応じてグループを分け、その後、各グループ内の周波数スペクトル範囲内の少なくとも１つの周波数にＲＦＣＮで番号を付ける。
【００６１】
即ち、本実施例で提供される技術案は、構成情報で１つの周波数を表す必要がある場合、セグメント番号＋セグメント番号に対応する周波数スペクトル範囲内のＲＦＣＮを使用することによって表すことができる。
【００６２】
上記した技術案を採用することにより、ターゲット周波数に対応するセグメント番号、および前記ターゲット周波数が位置するセグメント内に対応する無線周波数チャネル番号（ＲＦＣＮ）を採用してターゲット周波数情報を表し、このようにして、ターゲット周波数情報が含まれた構成情報を伝送するときに、周波数情報を表す伝送ビット数または伝送スペースを削減することができ、それによりシグナリング負荷を低下させる目的を達成することが分かる。
【００６３】
本発明の実施例は、図５に示されたように、少なくとも１つのプロセッサ５１と、メモリ５２と、少なくとも１つのネットワークインターフェース５３とを含む、ネットワーク機器または端末機器のハードウェアの構成のアーキテクチャをさらに提供する。各コンポーネントは、バスシステム５４を介して結合される。理解され得るように、バスシステム５４は、これらのコンポーネント間の接続通信を具現するために使用される。データバスに加えて、バスシステム５４は、電力バス、制御バスおよびステータス信号バスを含む。しかしながら、説明を明確にするために、図５では様々なバスをバスシステム５４として表記されている。
【００６４】
本発明の実施例におけるメモリ５２は、揮発性メモリまたは非揮発性メモリであってもよく、または揮発性メモリおよび非揮発性メモリの両方を含んでもよいことを理解されたい。
【００６５】
いくつかの実施形態で、メモリ５２は、操作システム５２１およびアプリケーションプログラム５２２の要素、実行可能なモジュールまたはデータ構造、またはそのサブセット、またはそれらの拡張セットを記憶する。
【００６６】
ここで、前記プロセッサ５１は、前述の実施例１の方法のステップを処理することができるように構成され、ここでは再び説明しない。
【００６７】
本発明の実施例によって提供されるコンピュータ記憶媒体は、実行可能な命令が記憶され、前記コンピュータ実行可能な命令が実行されるときに、前述の実施例１の方法のステップを実施する。
【００６８】
本発明の実施例における上記した装置がソフトウェア機能モジュールの形で実現され、スタンドアロン製品として販売または使用される場合、コンピュータ読み取り可能な記憶媒体に記憶されてもよい。このような理解に基づいて、本発明の実施例の技術的解決策は、本質的に、または先行技術に貢献する部分は、ソフトウェア製品の形で具現されることができ、当該コンピュータソフトウェア製品は、１つの記憶媒体に記憶されて、一台のコンピュータ機器（パーソナルコンピュータ、サーバ、またはネットワーク機器などであリ得る）が本発明の各実施例に記載の方法の全部または一部を実行するようにするためのいくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【００６９】
対応的に、本発明の実施例は、コンピュータプログラムが記憶されるコンピュータ記憶媒体をさらに提供し、前記コンピュータプログラムは、本発明の実施例のデータスケジューリング方法を実行するように構成される。
【００７０】
本発明の好ましい実施例を例示の目的で開示したが、当業者は、様々な改善、追加、および置換が可能であり、本発明の範囲は上記した実施例に限定されるべきではないことを認識するであろう。
【図１】
2021515997.tif 000003
【図２】
2021515997.tif 000004
【図３】
2021515997.tif 000005
【図４】
2021515997.tif 000006
【図５】
2021515997.tif 000007
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
ネットワーク機器に適用される周波数の構成方法であって、
構成情報にターゲット周波数情報を追加する場合、前記ターゲット周波数に対応するセグメント番号、および前記ターゲット周波数が位置するセグメント内に対応する無線周波数チャネル番号（ＲＦＣＮ）を採用して前記ターゲット周波数情報を表すことを含む、前記周波数の構成方法。
【請求項２】
前記方法は、
少なくとも２つのセグメント情報を構成することであって、前記少なくとも２つのセグメント情報は、すべての周波数スペクトルを分割して得られたセグメント情報であることをさらに含む、
請求項１に記載の周波数の構成方法。
【請求項３】
異なるセグメント情報間には重複する周波数帯域が存在しない、
請求項２に記載の周波数の構成方法。
【請求項４】
前記方法は、
プロトコルに基づいて少なくとも２つのセグメント情報を決定することをさらに含む、
請求項２に記載の周波数の構成方法。
【請求項５】
前記方法は、
システムブロードキャスト情報を介して、少なくとも２つのセグメント情報の構成を端末機器に送信することをさらに含む、
請求項２に記載の周波数の構成方法。
【請求項６】
前記少なくとも２つのセグメント情報を構成し、前記方法は、
各セグメント情報に対して対応するセグメント番号を設定し、各セグメント情報に含まれるすべての周波数に対して、ＲＦＣＮを採用して番号を付けることをさらに含む、
請求項２に記載の周波数の構成方法。
【請求項７】
端末機器に適用される周波数の構成方法であって、
ネットワークによって送信された構成情報を受信することと、
ターゲット周波数情報を前記構成情報から取得することであって、前記ターゲット周波数情報は、前記ターゲット周波数に対応するセグメント番号、および前記ターゲット周波数が位置するセグメント内に対応する無線周波数チャネル番号（ＲＦＣＮ）を含むこととを含む、前記周波数の構成方法。
【請求項８】
前記少なくとも２つのセグメント情報は、各セグメント情報の周波数スペクトル範囲およびそれらに対応するセグメント番号を含み、各セグメント情報に含まれる各周波数に対応するＲＦＣＮを含む、
請求項７に記載の周波数の構成方法。
【請求項９】
ネットワーク機器であって、
構成情報にターゲット周波数情報を追加する場合、前記ターゲット周波数に対応するセグメント番号、および前記ターゲット周波数が位置するセグメント内に対応する無線周波数チャネル番号（ＲＦＣＮ）を採用して前記ターゲット周波数情報を表すように構成される第１処理ユニットを含む、前記ネットワーク機器。
【請求項１０】
前記第１処理ユニットは、少なくとも２つのセグメント情報を構成するように構成され、前記少なくとも２つのセグメント情報は、すべての周波数スペクトルを分割して得られたセグメント情報である、
請求項９に記載のネットワーク機器。
【請求項１１】
異なるセグメント情報間には重複する周波数帯域が存在しない、
請求項１０に記載のネットワーク機器。
【請求項１２】
前記第１処理ユニットは、
プロトコルに基づいて少なくとも２つのセグメント情報を決定し、
または、
各セグメント情報に対して対応するセグメント番号を設定し、各セグメント情報に含まれるすべての周波数に対して、ＲＦＣＮを採用して番号を付けるように構成される、
請求項１０または１１に記載のネットワーク機器。
【請求項１３】
前記ネットワーク機器は、
システムブロードキャスト情報を介して、少なくとも２つのセグメント情報の構成を端末機器に送信するように構成される第１通信ユニットをさらに含む、
請求項１０または１１に記載のネットワーク機器。
【請求項１４】
端末機器であって、
ネットワークによって送信された構成情報を受信するように構成される第２通信ユニットと、
ターゲット周波数情報を前記構成情報から取得するように構成される第２処理ユニットであって、前記ターゲット周波数情報は、ターゲット周波数に対応するセグメント番号、および前記ターゲット周波数が位置するセグメント内に対応する無線周波数チャネル番号（ＲＦＣＮ）を含む第２処理ユニットとを含む、前記端末機器。
【請求項１５】
前記第２処理ユニットは、プロトコルに基づいて少なくとも２つのセグメント情報を決定するように構成され、
または、
前記第２通信ユニットは、システムブロードキャスト情報を介して、ネットワーク側で構成した少なくとも２つのセグメント情報を取得するように構成される、
請求項１４に記載の端末機器。
【請求項１６】
前記少なくとも２つのセグメント情報は、各セグメント情報の周波数スペクトル範囲およびそれらに対応するセグメント番号を含み、各セグメント情報に含まれる各周波数に対応するＲＦＣＮを含む、
請求項１５に記載の端末機器。
【国際調査報告】
2021515997.tif 000008
2021515997.tif 000009
2021515997.tif 000010
2021515997.tif 000011